(57)【要約】【課題】口部の強度を向上させる。【解決手段】押出ブロー成形で形成され、外周面に雄ねじ部１３が形成された口部１２を有するブロー成形容器１０であって、雄ねじ部１３には、ねじ山１３ａを周方向に分断する分断溝１４が複数形成されており、これらの分断溝１４のうち、容器軸Ｏ方向で互いに隣接するねじ山１３ａに形成された分断溝１４は、容器軸Ｏ方向でねじ山１３ａと対向している。【選択図】図１
2010126240.tif 000002
【特許請求の範囲】
【請求項１】
押出ブロー成形で形成され、外周面に雄ねじ部が形成された口部を有するブロー成形容器であって、
前記雄ねじ部には、ねじ山を周方向に分断する分断溝が複数形成されており、これらの分断溝のうち、容器軸方向で互いに隣接するねじ山に形成された分断溝は、容器軸方向でねじ山と対向していることを特徴とするブロー成形容器。
【請求項２】
請求項１記載のブロー成形容器であって、
前記雄ねじ部の谷部および分断溝は段差無く連なっていることを特徴とするブロー成形容器。
【発明の詳細な説明】
【技術分野】
【０００１】
本発明は、ブロー成形容器に関するものである。
【背景技術】
【０００２】
ブロー成形容器は、まず押出機からチューブ体（筒状のパリソン）を押出成形した後に、このチューブ体を成形金型のキャビティ内に位置させ、その後、このチューブ体の内側にエアを吹き込んで膨らませ、該チューブ体の外周面を成形金型の内周面に密接させることで形成される。
ここで、ブロー成形容器の口部として、例えば下記特許文献１に示されるような十分な肉厚を有するものや、あるいは前述のエア吹き込みと同時に形成する、つまりブロー成形することで雄ねじ部を含む口部の全体で内面形状を外面形状に沿わせることによりその全域にわたってほぼ同等の肉厚を有するものが知られている。
【特許文献１】特許第３６４５４２８号公報
【発明の開示】
【発明が解決しようとする課題】
【０００３】
これらのうち、後者のブロー成形容器では、一般に口部の肉厚が雄ねじ部を含めた全体でほぼ同等で薄肉になっているので、例えば内容物の充填時やキャップの装着時等に加えられる容器軸方向の圧縮力によって、雄ねじ部のねじ山が容器軸方向に潰れることで口部が座屈し易くなるおそれがあった。
また、キャップを雄ねじ部に螺着したときに口部に加えられた径方向内側に向けた圧縮力によって、ねじ山が径方向内側に圧潰され易くなるおそれもあった。
【０００４】
本発明は、このような事情を考慮してなされたもので、ブロー成形容器の口部における強度を向上させることができるブロー成形容器を提供することを目的とする。
【課題を解決するための手段】
【０００５】
上記課題を解決して、このような目的を達成するために、本発明のブロー成形容器は、押出ブロー成形で形成され、外周面に雄ねじ部が形成された口部を有するブロー成形容器であって、前記雄ねじ部には、ねじ山を周方向に分断する分断溝が複数形成されており、これらの分断溝のうち、容器軸方向で互いに隣接するねじ山に形成された分断溝は、容器軸方向でねじ山と対向していることを特徴とする。
【０００６】
この発明では、雄ねじ部に形成された複数の分断溝によりねじ山が周方向で分断されているので、このねじ山を、雄ねじ部における全域にわたって連続して延びるねじ山と比べて、容器軸方向に潰され難くすることが可能になり、口部の座屈強度を向上させることができる。
またこのように、ねじ山が周方向で分断されているので、ねじ山の径方向における剛性も高められることとなり、キャップを雄ねじ部に螺着したときに口部に加えられた径方向内側に向けた圧縮力によって、ねじ山が径方向内側に圧潰するのを抑制することができる。
さらに、雄ねじ部に、ねじ山を周方向に分断する分断溝が複数形成されており、これらの分断溝のうち、容器軸方向で互いに隣接するねじ山に形成された分断溝が、容器軸方向でねじ山と対向しているので、容器軸方向で互いに隣接するねじ山に形成された各分断溝が、同じ周方向位置に配置された構成の口部と比べて、例えばキャップを雄ねじ部に螺着したときに口部に加えられた径方向内側に向けた圧縮力によって、口部が分断溝を起点としてその径方向内側に向けて折曲変形するのを抑制することが可能になる。
以上より、ブロー成形容器の口部における強度を向上させることができる。
【０００７】
ここで、前記雄ねじ部の谷部および分断溝は段差無く連なっていてもよい。
この場合、谷部および分断溝が段差無く連なっているので、分断溝を形成したことで雄ねじ部に応力が集中し易くなる箇所が生じてしまうのを防ぐことが可能になり、口部の強度を確実に向上させることができる。
【発明の効果】
【０００８】
この発明に係るブロー成形容器によれば、口部の強度を向上させることができる。
【発明を実施するための最良の形態】
【０００９】
以下、図面を参照し、この発明の実施の形態について説明する。
本実施形態に係るブロー成形容器１０は、押出ブロー成形により有底筒状に形成され、図１に示されるように、共通軸上に配設された胴部１１と口部１２とを備えている。なお、このブロー成形容器１０は、例えばポリエチレン若しくはポリプロピレン等のポリオレフィン、またはポリエステル等の合成樹脂材料で一体に形成されている。
以下、前記共通軸を容器軸Ｏといい、容器軸Ｏ方向に沿って口部１２側を上側、底部側を下側といい、容器軸Ｏに直交する方向を径方向という。
【００１０】
胴部１１は、横断面視長方形状に形成されるとともに、この長方形状をなす短辺部分は径方向外側に向けて凸曲面状に膨出している。
口部１２の外周面には、図示されないキャップが螺着される雄ねじ部１３が形成されている。ここで、このブロー成形容器１０は、押出ブロー成形により形成されており、図２（ｂ）に示されるように、口部１２は雄ねじ部１３を含む全体で内面形状が外面形状に沿っていて、この口部１２の肉厚はその全域にわたってほぼ同等になっている。なお、口部１２の下端部には、前記キャップの下端縁が支持されるフランジ部１２ａが径方向外側に向けて突設されている。
【００１１】
そして、本実施形態では、雄ねじ部１３に、ねじ山１３ａを周方向に分断する分断溝１４が、互いに異なる周方向位置に複数形成されている。なお、周方向で互いに隣り合う分断溝１４同士の容器軸Ｏを中心とした間隔は例えば約１０°〜１５°となっている。また、分断溝１４の深さは、ねじ山１３ａの突出高さ、つまり谷部１３ｂの深さと同等とされ、この谷部１３ｂおよび分断溝１４は段差無く連なっている。なお、分断溝１４の周方向における大きさは、分断されたねじ山１３ａの周方向における各大きさの例えば４分の１程度となっている。また、複数の分断溝１４それぞれの周方向における大きさは互いに同等になっている。
【００１２】
さらに、これらの分断溝１４のうち、容器軸Ｏ方向で互いに隣接するねじ山１３ａに形成された分断溝１４は、その周方向における全域で、他の分断溝１４ではなくねじ山１３ａと容器軸Ｏ方向で対向している。
【００１３】
以上説明したように本実施形態に係るブロー成形容器１０によれば、雄ねじ部１３に形成された複数の分断溝１４によりねじ山１３ａが周方向で分断されているので、このねじ山１３ａを、雄ねじ部１３における全域にわたって連続して延びるねじ山と比べて、容器軸Ｏ方向に潰され難くすることが可能になり、口部１２の座屈強度を向上させることができる。
またこのように、ねじ山１３ａが周方向で分断されているので、ねじ山１３ａの径方向における剛性も高められることとなり、キャップを雄ねじ部１３に螺着したときに口部１２に加えられた径方向内側に向けた圧縮力によって、ねじ山１３ａが径方向内側に圧潰するのを抑制することができる。
【００１４】
さらに、雄ねじ部１３に、ねじ山１３ａを周方向に分断する分断溝１４が複数形成されており、これらの分断溝１４のうち、容器軸Ｏ方向で互いに隣接するねじ山１３ａに形成された分断溝１４が、容器軸Ｏ方向でねじ山と対向しているので、容器軸Ｏ方向で互いに隣接するねじ山１３ａに形成された各分断溝１４が、同じ周方向位置に配置された構成の口部と比べて、例えばキャップを雄ねじ部１３に螺着したときに口部１２に加えられた径方向内側に向けた圧縮力によって、口部１２が分断溝１４を起点としてその径方向内側に向けて折曲変形するのを抑制することが可能になる。
以上より、ブロー成形容器１０の口部１２における強度を向上させることができる。
【００１５】
また本実施形態では、谷部１３ｂおよび分断溝１４が段差無く連なっているので、分断溝１４を形成したことで雄ねじ部１３に応力が集中し易くなる箇所が生じてしまうのを防ぐことが可能になり、口部１２の強度を確実に向上させることができる。
さらに、例えば毛染め液等のガスを発生させる内容物が、ブロー成形容器１０内に収納された場合には、分断溝１４および谷部１３ｂを前記ガスの放出路として使用することも可能になる。
【００１６】
なお、本発明の技術的範囲は前記実施の形態に限定されるものではなく、本発明の趣旨を逸脱しない範囲において種々の変更を加えることが可能である。
例えば前記実施形態では、雄ねじ部１３として容器軸Ｏ方向で互いに隣接するねじ山１３ａを全周に有しない構成を示したが、全周に有する雄ねじ部１３を採用してもよい。
また、ねじ山１３ａが容器軸Ｏ方向で３箇所以上配置された場合には、少なくとも１つのねじ山１３ａに形成された分断溝１４の周方向位置を、他のねじ山１３ａに形成された分断溝１４の周方向位置と異ならせればよい。
さらに、前記実施形態では、ブロー成形容器１０として有底筒状体を示したが、これに代えて例えばチューブ容器にも適用可能である。
さらにまた、ねじ山１３ａは図示の形態に限らず例えば多条ねじを採用してもよい。
また、前記実施形態では、複数の分断溝１４のうち、容器軸Ｏ方向で互いに隣接するねじ山１３ａに形成された分断溝１４を、その周方向における全域にわたって容器軸Ｏ方向でねじ山１３ａと対向させたが、これに代えて例えば、分断溝１４の周方向における一部は、他の分断溝１４と容器軸Ｏ方向で対向させてもよい。
【産業上の利用可能性】
【００１７】
ブロー成形容器の口部における強度を向上させることができる。
【図面の簡単な説明】
【００１８】
【図１】本発明に係る一実施形態として示したブロー成形容器の斜視図である。
【図２】図１に示すブロー成形容器の口部の側面図および縦断面図である。
【符号の説明】
【００１９】
１０  ブロー成形容器
１２  口部
１３  雄ねじ部
１３ａ  ねじ山
１３ｂ  谷部
１４  分断溝
Ｏ  容器軸
【図１】
2010126240.tif 000003
【図２】
2010126240.tif 000004